(57)【要約】      （修正有）【課題】介護施設等において手軽に使用でき、また肛門付近で硬く固まった便の排便を容易に行うことができる腸洗浄用ノズル及び腸洗浄器を提供する。【解決手段】腸洗浄器から温水が供給される腸洗浄用ノズルは、上面が平坦な便押上げ面である挿入部９ａと、挿入部９ａの下端部に形成されて肛門への挿入深度を規定するつば部９ｂと、つば部９ｂの下部に設けられて腸洗浄器から延出する温水供給用の吐出チューブ８に連結される連結部を有する。便押上げ面に直腸下部の便へ向って温水を吐出する第１の吐出口９ｆを形成し、その下方に肛門と直腸の境界部へ向って温水を吐出する第２の吐出口９ｇを複数個形成し、また挿入部９ａの下部に肛門括約筋によって抱き込まれる絞り部９ｈを形成した。【選択図】図４
2016209381.tif 000002
【特許請求の範囲】
【請求項１】
上端に便押上げ面を有する肛門への挿入部と、挿入部の下部に形成されて肛門への挿入深度を規定するつば部と、つば部の下部に設けられて腸洗浄器から延出する温水の吐出チューブに連結される連結部とを有し、前記便押上げ面に前記挿入部の内部に供給された温水を直腸下部の便へ向って吐出する第１の吐出口を形成するとともに、前記便押上げ面の下方に肛門と直腸下部の境界部へ向って温水を吐出する第２の吐出口を形成し、且つ前記挿入部の下部に肛門括約筋によって抱き込まれる絞り部を形成したことを特徴とする腸洗浄用ノズル。
【請求項２】
肛門への挿入部と、挿入部の下部に形成されて肛門への挿入深度を規定するつば部と、つば部の下部に設けられて腸洗浄器から延出する温水の吐出チューブに連結される連結部とを有し、前記挿入部の上面に前記挿入部の内部に供給された温水を直腸内に向って吐出する吐出口を形成するとともに、前記挿入部の下部に肛門括約筋によって抱き込まれる絞り部を形成したことを特徴とする腸洗浄用ノズル。
【請求項３】
前記上面の下部に、第２の吐出口を設けたことを特徴とする請求項２に記載の腸洗浄用ノズル。
【請求項４】
シリンダーと、シリンダーに装着されて手動操作されるピストンロッドと、シリンダーの下部の吸入部に接続されて温水供給部に貯溜された温水をシリンダー内に吸入する吸入チューブと、シリンダーの下部に設けられた吐出部に接続されてシリンダー内の温水を肛門に挿入されたノズルに供給する吐出チューブとを備え、
前記吸入チューブに温水のシリンダー側への吸入方向の流れのみを許容し逆方向への流れを阻止する逆止弁を設けるとともに、前記吐出チューブに前記ノズル側への吐出方向への流れのみを許容し逆方向の流れを阻止する逆止弁を設けた腸洗浄器であって、前記ノズルが請求項１又は２に記載されたノズルであることを特徴とする腸洗浄器。
【発明の詳細な説明】
【技術分野】
【０００１】
本発明は、手軽に便秘解消や腸洗浄を行うことができる腸洗浄用ノズル及び腸洗浄器に関するものである。
【背景技術】
【０００２】
従来、便秘や腸洗浄の手段として浣腸や下剤を使用することが知られている。しかしながらこのような従来方法では、浣腸や腸洗浄を完全・十分に遂行することは困難であった。
【０００３】
また手動ポンプを用いて温水を腸内に送り込む腸洗浄器や、高位置に設置した容器の位置水頭（位置圧力）により洗浄水を直腸内に注入する腸洗浄器も知られていた。しかしながらこのような従来手段は構造が複雑であり、また使用勝手が悪く、更には旅行等にも携行しにくいという問題点があった。
【０００４】
また、電動式ポンプを備えた腸洗浄器も知られているが、このものも構造が複雑で高価でもあり、更にはかなりの重量を有するので旅行等の携行には適しにくいものであった。
【０００５】
また、従来のいずれの腸洗浄器も、肛門付近で硬く固まった便のスムーズな排便を行うことはきわめて困難という問題点があった。
【先行技術文献】
【特許文献】
【０００６】
【特許文献１】実用新案登録第３０７６４２４号公報
【発明の概要】
【発明が解決しようとする課題】
【０００７】
そこで本発明は、介護施設や病院、家庭等において手軽に使用でき、また肛門付近で硬く固まった便の排便を容易に行うことができる腸洗浄用ノズル及び腸洗浄器を提供することを目的とする。
【課題を解決するための手段】
【０００８】
本発明の腸洗浄用ノズルは、上端に便押上げ面を有する肛門への挿入部と、挿入部の下部に形成されて肛門への挿入深度を規定するつば部と、つば部の下部に設けられて腸洗浄器から延出する温水の吐出チューブに連結される連結部とを有し、前記便押上げ面に前記挿入部の内部に供給された温水を直腸下部の便へ向って吐出する第１の吐出口を形成するとともに、前記便押上げ面の下方に肛門と直腸下部の境界部へ向って温水を吐出する第２の吐出口を形成し、且つ前記挿入部の下部に肛門括約筋によって抱き込まれる絞り部を形成したものである。
【０００９】
また本発明の腸洗浄用ノズルは、肛門への挿入部と、挿入部の下部に形成されて肛門への挿入深度を規定するつば部と、つば部の下部に設けられて腸洗浄器から延出する温水の吐出チューブに連結される連結部とを有し、前記挿入部の上面に前記挿入部の内部に供給された温水を直腸内に向って吐出する吐出口を形成するとともに、前記挿入部の下部に肛門括約筋によって抱き込まれる絞り部を形成したものである。
【００１０】
また望ましくは、前記上面の下部に、第２の吐出口を設けた。
【００１１】
また本発明の腸洗浄器は、シリンダーと、シリンダーに装着されて手動操作されるピストンロッドと、シリンダーの下部の吸入部に接続されて温水供給部に貯溜された温水をシリンダー内に吸入する吸入チューブと、シリンダーの下部に設けられた吐出部に接続されてシリンダー内の温水を肛門に挿入されたノズルに供給する吐出チューブとを備え、前記吸入チューブに温水のシリンダー側への吸入方向の流れのみを許容し逆方向への流れを阻止する逆止弁を設けるとともに、前記吐出チューブに前記ノズル側への吐出方向への流れのみを許容し逆方向の流れを阻止する逆止弁を設けた腸洗浄器であって、前記ノズルが請求項１又は２に記載されたノズルである。
【発明の効果】
【００１２】
本発明によれば、特に介護施設や病院、家庭等において、手軽簡便に腸洗浄を行うことができる。また直腸や肛門付近で硬く固まった便の排便を容易に行うことができる。
【図面の簡単な説明】
【００１３】
【図１】本発明の実施の形態１における腸洗浄器の側面図
【図２】本発明の実施の形態１における腸洗浄用ノズルの正面図
【図３】本発明の実施の形態１における腸洗浄用ノズルの断面図
【図４】本発明の実施の形態１における腸洗浄用ノズルの使用中の側面図
【図５】本発明の実施の形態１における腸洗浄器用ノズルの使用中の側面図
【図６】本発明の実施の形態２における腸洗浄ノズルの一部切欠正面図
【図７】本発明の実施の形態２における腸洗浄用ノズルの使用中の側面図
【図８】本発明の他の実施の形態における腸洗浄器の側面図
【図９】本発明の他の実施の形態における腸洗浄器の側面図
【発明を実施するための形態】
【００１４】
（実施の形態１）
図１において、腸洗浄器１は円筒形の透明なシリンダー２を主体としており、シリンダー２にはピストンロッド３が装着されている。ピストンロッド３の下端部にはピストン３ａが連結されており、ピストン３ａの外周にはパッキン３ｂが装着されている。またピストンロッド３の上端部はシリンダー２から突出し、手動式の操作部３ｃが結合されている。ピストン３ａは、操作部３ｃの手動操作により上下動する（矢印参照）。シリンダー２の上面部には、ピストンロッド３が摺接するパッキン２ａが設けられており、また空気逃げ孔２ｂが開孔されている。
【００１５】
シリンダー２の下部には管状の吸入部４と吐出部５が設けられている。吸入部４には吸入チューブ６が接続されている。吸入チューブ６の下端部は温水が貯溜された温水供給部としての温水槽７に挿入される。吸入チューブ６の途中には逆止弁６ａが設けられている。逆止弁６ａは温水のシリンダー２側への吸入方向の流れのみを許容し、温水槽７側への吐出方向（逆方向）の流れは阻止する。
【００１６】
吐出部５には吐出チューブ８が接続されており、吐出チューブ８の先端部には腸洗浄用のノズル９が装着されている。吐出チューブ８の途中には逆止弁８ａが設けられている。逆止弁８ａは温水のノズル９側への吐出方向の流れのみを許容し、シリンダー２方向への吸入方向（逆方向）の流れは阻止する。したがって、温水槽７内の温水は、吸入チューブ６を通って吸入部４からシリンダー２内に吸入される。またシリンダー２内の温水は、吐出部５から吐出チューブ８を通ってノズル９に供給される。シリンダー２、ピストンロッド３、吸入部４、吐出部５等は、手動式ピストンポンプを構成している。
【００１７】
次に、図２及び図３を参照して腸洗浄用ノズルを説明する。実施の形態１の腸洗浄用ノズル９は、排便困難な重度の患者（被介護者）に使用されるものである。ノズル９は挿入部９ａと、挿入部９ａの下部に設けられた円板状のつば部（ストッパー）９ｂと、つば部９ｂの下部に設けられた筒状の連結部９ｃから成っている。連結部９ｃには、腸洗浄器１から延出する吐出チューブ８が着脱自在に挿着して連結される。つば部９ｂは、挿入部９ａの肛門への挿入深度を規定するストッパーとなっている。
【００１８】
挿入部９ａの上端は平坦若しくは略平坦な便押上げ面９ｄとなっている。挿入部９ａの内部には通水路９ｅが形成されている。通水路９ｅの上端は便押上げ面９ｄに開口する第１の吐出口９ｆとなっている。また通水路９ｅは便押上げ面９ｄの下方で側方へ分岐し、ノズル体９の側面で開口する第２の吐出口９ｇとなっている。温水槽７内の温水は、吸入チューブ６を通って挿入部９ａの内部の通水路９ｅに供給され、第１の吐出口９ｆおよび第２の吐出口９ｇから吐出される。
【００１９】
第２の吐出口９ｇは、挿入部９ａの円周方向に複数個（本例では等間隔で４個）形成されている。したがって手動式ピストンポンプの操作部３ｃを操作すると、すべての吐出口９ｆ、９ｇから温水が吐出される。後述するように、挿入部９ａの上面に形成された第１の吐出口９ｆは直腸下部の便へ向って温水を吐出する。また第１の吐出口９ｆの下方に形成された第２の吐出口９ｇは、肛門と直腸下部の境界部へ向って温水を吐出する。
【００２０】
つば部９ｂの直上における挿入部９ａの下部は下方へ向ってテーパ状に縮径する絞り部（縮径部）９ｈとなっており、この絞り部９ｈの下部につば部９ｂが設けられている。ノズル９の挿入部９ａは、つば部９ｂが肛門の下端部に当接するまで挿入する。完全に挿入した状態で、絞り部９ｈは肛門括約筋にしっかり抱き込まれる（図４、図５を参照）。
【００２１】
このように肛門括約筋を絞り部９ｈにしっかり抱き込ませると、ノズル９から手を離してもノズル９は肛門から脱落しないので、使用者は両手を自由に使用してピストンロッド３の操作部３ｃの手動操作等を行うことができる。また挿入部９ａを挿入した状態で、操作部３ｃを押圧すると、図４、図５において矢印で示すように、温水は各吐出口９ｆ、９ｇから吐出される。
【００２２】
この腸洗浄器１は上記のような構成より成り、次にその使用方法を説明する。まず図１に示すように、温水槽７に適温（４０℃〜４２℃程度）の温水を貯溜する。次に吸入チューブ６の下端部を温水槽７内に挿入し、操作部３ｃを手動で引き上げると、温水はシリンダー２内に吸入される（図１において、鎮線で示す操作部３ｃを参照）。操作者は、本人又は介護者の何れでもよい。
【００２３】
次に、図４に示すように挿入部９ａを肛門に挿入する。この場合、挿入部９ａには馬油などの潤滑材を塗布しておくことが望ましい。次に、挿入部９ａの挿入深度について説明する。個人差はあるが、肛門の長さは約３ｃｍ〜５ｃｍ程度であり、挿入深度が深すぎると人体に危険である。そこで本実施の形態では、図４に示すように挿入部９ａの全長は、挿入部９ａの上面の便押上げ面９ｄは直腸の下部に到達して便をやや押し上げるが、直腸の内部深くまでは入り込まない長さにしている。また、つば部９ｂは、挿入部９ａを深く挿入しすぎるのを防止する挿入限度規定のためのストッパーとなっている。挿入部９ａを挿入して便押上げ面９ｄで直腸内の便をやや押し上げて、直腸下部と便との間に空間Ｔを生じさせる。この状態で、第１の吐出口９ｆの下方に形成された第２の吐出口９ｇは、この挿入時には肛門と直腸の境目に生じた空間Ｔに対向する位置に位置し、また肛門括約筋は絞り部９ｈをしっかり抱き込む（図４を参照）。
【００２４】
以上のようにして挿入部９ａを挿入したならば、本人あるいは介護者は、操作部３ｃを手動で押し下げる。すると温水は各吐出口９ｆ、９ｇから腸内に吐出される（図４の矢印参照）。この場合、挿入部９ａの上面の便押上げ面９ｄは直腸下部に溜まった便をやや押し上げており、第１の吐出口９ｆからはこの便へ向って温水が吐出される。また第１の吐出口９ｆの下方に形成された第２の吐出口９ｇからは、肛門と直腸下部の境界部に生じた空間Ｔへ向って温水が吐出される。そして吐出された温水は直腸の内面に沿うように上昇し、直腸内に溜った便を直腸の内面から剥離する。この場合、望ましくは、図５に示すように吐出チューブ８の上端部付近を指先で保持し、ノズル９を複数の任意方向にやや傾ける。すると便と直腸下部の間の空間Ｔは大きくなるので、第２の吐出口９ｇからこの大きくなった空間Ｔに温水は吐出され、吐出された温水は直腸の内面に沿うように上昇し、直腸内に溜った便を直腸の内面から効果的に剥離する。このようにノズル９を任意方向にやや傾けてやや大きい空間Ｔを生じさせながら第２の吐出口９ｇから肛門と直腸の境界部へ向って温水を吐出させると、排便と腸洗浄を効果的に実行できる。
【００２５】
直腸内に十分に温水を吐出したならば、ノズル９を肛門から取りはずす。すると腸内を洗浄した温水は肛門から吐出されて排便され、腸洗浄は終了する。腸内に送り込む温水の量は、便秘の状態等に応じて加減する。勿論、上記した腸内の洗浄は、腸内を十分に洗浄するために複数回繰り返して行ってもよい。勿論、ノズル９は吐出チューブ８に着脱して使用捨て勝手である。
【００２６】
（実施の形態２）
次に、軽度の便秘患者（被介護者）が使用する腸洗浄用ノズルについて説明する。図６及び図７において、ノズル１９の挿入部１９ａは、実施の形態１のノズル９よりも短尺である。挿入部１９ａの内部には実施の形態１と同様に温水槽７から温水が供給される。通水路１９ｅが形成されている。通水路１９ｅの上端は、挿入部１９ａの円滑な上面１９ｄの頂点で開口する第１の吐出口１９ｆとなっている。上面１９ｄは、半球状もしくは略半球状である。また通水路１９ｅは上面１９ｄの下部で側方へ分岐して第２の吐出口１９ｇとなっている。第２の吐出口１９ｇは半球状の上面１９ｄの下部に位置し、挿入部１９ａの円周方向に複数個（本実施の形態では等間隔で４個）形成されている。なお、温水の吐出口は第１の吐出口１９ｆのみ形成し、第２の吐出口１９ｇは形成しなくてもよい。また挿入部１９ａの下部には、実施の形態１と同様の絞り部１９ｈが形成されている。実施の形態１と同一要素には同一符号を付し、その説明は省略する。
【００２７】
図７に示すように、つば部９ｂが肛門括約筋の下端部に当接するまで挿入部１９ａを肛門に挿入し、絞り部１９ｈを肛門括約筋にしっかり抱き込ませる。この状態で、ノズル１９の挿入部１９ａはその全体がほぼ肛門内にある。したがって挿入部１９ａは、その上面１９ｄは直腸の下部に到達するが直腸の内部深くまでは突入しない長さとなっている。
【００２８】
次いで操作部３ｃを手動で押し下げると、図７において矢印で示すように、温水は第１の吐出口１９ｆおよび第２の吐出口１９ｇからそれぞれ便や直腸内に向って吐出される。温水を十分に吐出したならば、ノズル１９を肛門から取りはずす。すると腸内を洗浄した温水とともに排便が行われ、腸洗浄は終了する。
【００２９】
（他の実施の形態）
図８は、本発明の他の実施の形態の腸洗浄器２１を示すものである。実施の形態１と同一要素には同一符号を付し、説明は省略する。
【００３０】
この腸洗浄器２１は、実施の形態１の吸入部４と吐出部５の２つを１つの吸入吐出部１２としている。そして吸入吐出部１２から吸入部１２ａを分岐させて吸入チューブ６に接続し、また吸入吐出部１２の下端部を吐出部１２ｂとして吐出チューブ８に接続している。シリンダー２には目盛１０が付してある。目盛１０は、シリンダー２内の貯水量や使用水量を確認するためのものである。実施の形態１のシリンダー２にも、同様の目盛が形成されている。この腸洗浄器２１の使用方法は実施の形態１の腸洗浄器１と同じであり、その説明は省略する。
【００３１】
（他の実施の形態）
図９は、本発明の更に他の実施の形態の腸洗浄器３１を示すものである。実施の形態１と同一の要素には同一符号を付し、説明は省略する。
【００３２】
シリンダー２の下面に設けられた吸入吐出部２２には、２股状のチューブ２３が接続されている。２股状に分岐した一方は吸入チューブ２３ａとなってその下端部は温水槽７に挿入され、他方は吐出チューブ２３ｂとなってその先端部にはノズル９が接続されている。すなわち、吸入吐出部２２は吸入部と吐出部を兼務している。この腸洗浄器３１の使用方法は実施の形態１の腸洗浄器１と同じであり、その説明は省略する。勿論、これらの実施の形態の腸洗浄器２１、３１にも、実施の形態１、２のノズル９、１９を使用することができる。
【産業上の利用可能性】
【００３３】
本発明は、介護施設、病院、家庭等において、手軽に使用できる腸洗浄用ノズル及び腸洗浄器として特に有用である。
【符号の説明】
【００３４】
１，２１，３１  腸洗浄器
２  シリンダー
３  ピストンロッド
３ａ  ピストン
４，１２ａ  吸入部
５，１２ｂ  吐出部
６，２３ａ  吸入チューブ
６ａ，８ａ  逆止弁
７  温水槽（温水供給部）
８，２３ｂ  吐出チューブ
９，１９  腸洗浄用ノズル
９ａ，１９ａ  挿入部
９ｂ  つば部
９ｃ  連結部
９ｄ  便押上げ面
１９ｄ  上面
９ｈ，１９ｈ  絞り部
９ｆ，１９ｆ  第１の吐出口
９ｇ，１９ｇ  第２の吐出口
【図１】
2016209381.tif 000003
【図２】
2016209381.tif 000004
【図３】
2016209381.tif 000005
【図４】
2016209381.tif 000006
【図５】
2016209381.tif 000007
【図６】
2016209381.tif 000008
【図７】
2016209381.tif 000009
【図８】
2016209381.tif 000010
【図９】
2016209381.tif 000011